(57)【要約】【課題】ＤＲＭのより確実なレンタル技術を提案する。【解決手段】本発明によるレンタル方法は、レンタルされた情報記憶媒体１を挿入したユーザ端末２が、インターネットを介してサーバ３にアクセスする命令を入力するためのユーザインタフェースを表示し、そのアクセス命令が入力されると、インターネットを介してサーバ３へアクセスする。アクセスを受けたサーバ３が、ユーザ端末２から会員番号と所定のコンテンツに対するダウンロードの指示を受信すると、該会員番号が登録されているか否か確認し、会員番号が登録されている場合は、要求されたコンテンツをユーザ端末２へダウンロードすると共に、会員番号に対比させてそのダウンロード回数を記憶し、そして、該記憶した会員番号及びダウンロード回数のデータをレンタルショップＲＳの情報端末で閲覧可能とすることを特徴とする。【選択図】図１
2007115160.tif 000002
【特許請求の範囲】
【請求項１】
コンテンツと、
該コンテンツの複製を制御するコピーコントロールデータと、
インターネットを介して所定のサーバにアクセスする命令を入力するためのユーザインタフェースを表示装置に表示する表示手段としてコンピュータを動作させる表示プログラムと、
前記ユーザインタフェースを通して前記アクセス命令が入力されると、インターネットを介して前記サーバへアクセスするアクセス手段としてコンピュータを動作させるアクセスプログラムと、
を記憶したことを特徴とするレンタル用の情報記憶媒体。
【請求項２】
当該情報記憶媒体がコンピュータの媒体読取装置に挿入された時に、記憶している前記コンテンツを再生する再生手段としてコンピュータを動作させる再生プログラムと、
前記再生手段の終了が命令された時に、前記媒体読取装置から当該情報記憶媒体を排出するようにコンピュータを動作させる排出プログラムと、
をさらに記憶していることを特徴とする請求項１記載の情報記憶媒体。
【請求項３】
前記コピーコントロールデータにより、前記コンテンツを複製できないように制御されていることを特徴とする請求項１又は請求項２記載の情報記憶媒体。
【請求項４】
レンタル会員の使用するユーザ端末及びレンタルショップの情報端末に対しインターネットを介して接続可能なサーバであって、
インターネットを介し接続してきた前記ユーザ端末から会員番号のデータと所定のコンテンツに対するダウンロードの指示を受信すると、該会員番号がデータベースに登録されているか否か確認し、
前記会員番号が登録されている場合は、前記所定のコンテンツを前記ユーザ端末へダウンロードすると共に、前記会員番号に対比させてそのダウンロード回数を記憶し、
該記憶した会員番号及びダウンロード回数のデータを前記情報端末で閲覧できるようにすることを特徴とするサーバ。
【請求項５】
デジタル著作権管理に対応したメディアプレーヤーのファイル方式で前記コンテンツを記憶してあると共に、該メディアプレーヤーのプラグインモジュールを前記ユーザ端末がインストールできるように用意してあり、
該プラグインモジュールは、これをインストールした前記ユーザ端末において、前記ダウンロードしたコンテンツを情報記憶媒体へ、前記メディアプレーヤーを利用して所定の回数だけ書き込み許可するプログラムであることを特徴とする請求項４記載のサーバ。
【請求項６】
前記プラグインモジュールを介してコンテンツを書き込んだ情報記憶媒体には、当該コンテンツを複製できないように制御するコピーコントロールデータも記憶されることを特徴とする請求項５記載のサーバ。
【請求項７】
請求項１に記載の情報記憶媒体と請求項４記載のサーバとを使用したレンタル方法であって、
前記情報記憶媒体がレンタルショップにてレンタル会員に貸し出され、
該情報記憶媒体が該レンタル会員の使用するユーザ端末の媒体読取装置に挿入されると、該ユーザ端末のコンピュータが、インターネットを介して前記サーバにアクセスする命令を入力するためのユーザインタフェースを表示装置に表示する表示手段として動作し、
前記ユーザインタフェースを通して前記アクセス命令が入力されると、該コンピュータが、インターネットを介して前記サーバへアクセスするアクセス手段として動作し、
該アクセスを受けた前記サーバが、前記ユーザ端末から会員番号のデータと所定のコンテンツに対するダウンロードの指示を受信すると、該会員番号がデータベースに登録されているか否か確認し、前記会員番号が登録されている場合は、前記所定のコンテンツを前記ユーザ端末へダウンロードすると共に、前記会員番号に対比させてそのダウンロード回数を記憶し、そして、該記憶した会員番号及びダウンロード回数のデータをレンタルショップの情報端末で閲覧可能とすることを特徴とするレンタル方法。
【請求項８】
レンタルショップにてレンタル会員に貸し出される前記情報記憶媒体は、
前記情報記憶媒体がコンピュータの媒体読取装置に挿入された時に、記憶しているコンテンツを再生する再生手段としてコンピュータを動作させる再生プログラムと、
前記再生手段の終了が命令された時に、前記媒体読取装置から当該情報記憶媒体を排出するようにコンピュータを動作させる排出プログラムと、
をさらに記憶していることを特徴とする請求項７記載のレンタル方法。
【請求項９】
前記ユーザ端末のコンピュータが、
前記情報記憶媒体が媒体読取装置に挿入された時に、記憶されているコンテンツを再生する再生手段として動作し、
前記再生手段の終了が命令された時に、前記媒体読取装置から前記情報記憶媒体を排出することを特徴とする請求項８記載のレンタル方法。
【請求項１０】
レンタルショップにてレンタル会員に貸し出される前記情報記憶媒体は、記憶しているコピーコントロールデータにより、記憶しているコンテンツを複製できないように制御されていることを特徴とする請求項７〜９のいずれか１項に記載のレンタル方法。
【請求項１１】
前記サーバは、
デジタル著作権管理に対応したメディアプレーヤーのファイル方式で前記所定のコンテンツを記憶していると共に、該メディアプレーヤーのプラグインモジュールを前記ユーザ端末がインストールできるように用意しており、
該プラグインモジュールをインストールした前記ユーザ端末において、前記ダウンロードしたコンテンツを情報記憶媒体へ、前記メディアプレーヤーを利用して所定の回数だけ書き込めるようになっていることを特徴とする請求項７〜１０のいずれか１項に記載のレンタル方法。
【請求項１２】
前記プラグインモジュールを介してコンテンツを書き込んだ情報記憶媒体には、当該コンテンツを複製できないように制御するコピーコントロールデータも記憶されることを特徴とする請求項１１記載のレンタル方法。
【発明の詳細な説明】
【技術分野】
【０００１】
本発明は、音楽や映画などの著作権に関係するコンテンツデータを記憶したＣＤ（コンパクトディスク）、ＤＶＤ（デジタルバーサタイルディスク）等、レンタルに使用される情報記憶媒体におけるデータ保護技術に関する。
【背景技術】
【０００２】
音楽や映像のコンテンツを記憶したＣＤやＤＶＤの情報記憶媒体では、リッピングで複製を重ねてもデータが劣化しないことから、著作権の保護を目的として、コピーコントロールデータを一緒に記憶することで、デジタル複製の制御が行われている（たとえば特許文献１）。最近のレンタルショップでは、新しくレンタル許可となって貸し出されるものについては、このコピーコントロールデータにより、デジタルの複製ができないように制御されている。
【特許文献１】特開２００３−１６７２６号公報
【発明の開示】
【発明が解決しようとする課題】
【０００３】
データの劣化無く複製できる現状で無制限に複製を認めることは、著作権保護の観点から許容できないが、たとえば音楽ＣＤ（ＣＤ−ＤＡ）をレンタルショップから借りてきても、まったくデジタルの複製ができないのでは、レンタルを利用することの魅力があまりにも少ない。
【０００４】
そこで、本発明は、著作権保護の観点を勘案した新たなレンタルの手法を確立可能な情報記憶媒体、サーバ、そしてこれらを使用したレンタル方法を提案するものである。
【課題を解決するための手段】
【０００５】
本発明によるレンタル用の情報記憶媒体は、コンテンツと、該コンテンツの複製を制御するコピーコントロールデータと、インターネットを介して所定のサーバにアクセスする命令を入力するためのユーザインタフェースを表示装置に表示する表示手段としてコンピュータを動作させる表示プログラムと、そのユーザインタフェースを通してアクセス命令が入力されると、インターネットを介してサーバへアクセスするアクセス手段としてコンピュータを動作させるアクセスプログラムと、を記憶したことを特徴とする。
【０００６】
また、本発明によるサーバは、レンタル会員の使用するユーザ端末及びレンタルショップの情報端末に対しインターネットを介して接続可能なサーバであって、インターネットを介し接続してきたユーザ端末から会員番号のデータと所定のコンテンツに対するダウンロードの指示を受信すると、該会員番号がデータベースに登録されているか否か確認し、会員番号が登録されている場合は、所定のコンテンツをユーザ端末へダウンロードすると共に、会員番号に対比させてそのダウンロード回数を記憶し、該記憶した会員番号及びダウンロード回数のデータをレンタルショップの情報端末で閲覧できるようにすることを特徴とする。
【０００７】
また、本発明によるレンタル方法は、上記本発明の情報記憶媒体と上記本発明のサーバとを使用したレンタル方法であって、その情報記憶媒体がレンタルショップにてレンタル会員に貸し出され、該情報記憶媒体がレンタル会員の使用するユーザ端末の媒体読取装置に挿入されると、該ユーザ端末のコンピュータが、インターネットを介してサーバにアクセスする命令を入力するためのユーザインタフェースを表示装置に表示する表示手段として動作し、そのユーザインタフェースを通してアクセス命令が入力されると、該コンピュータが、インターネットを介してサーバへアクセスするアクセス手段として動作し、該アクセスを受けたサーバが、ユーザ端末から会員番号のデータと所定のコンテンツに対するダウンロードの指示を受信すると、該会員番号がデータベースに登録されているか否か確認し、会員番号が登録されている場合は、要求されたコンテンツをユーザ端末へダウンロードすると共に、会員番号に対比させてそのダウンロード回数を記憶し、そして、該記憶した会員番号及びダウンロード回数のデータをレンタルショップの情報端末で閲覧可能とすることを特徴とする。
【発明の効果】
【０００８】
本発明のレンタル用情報記憶媒体によれば、著作権保護の観点から、コピーコントロールデータによりデジタルの複製を制御し、たとえば一切の複製ができないものとすることができる。一方で、レンタル会員が複製を希望する場合は、記憶してあるプログラムに従い、インターネット接続により所定のサーバへアクセスすることができるので、複製の代わりとして、該サーバから同じコンテンツをダウンロードすることを許可する仕組みを構築することができる。サーバからのダウンロードで複製を許可する方式とすることにより、複製に対する著作権関連の課金を容易に行えるので、著作権に配慮したレンタルシステムの構築に貢献する。
【０００９】
また、本発明のサーバによれば、レンタル会員の会員番号とコンテンツのダウンロード回数との対比データをレンタルショップの情報端末で閲覧できるので、該レンタルショップの情報端末でその対比データを参照して、情報記憶媒体を返却しにきたレンタル会員に対し、ダウンロード回数分、つまり複製回数分の料金を徴収することができる。その料金は、著作権関連の金額を含めたものとすることができるので、著作権に配慮したレンタルシステムの構築に貢献する。
【００１０】
また、本発明のレンタル方法によれば、上記本発明の情報記憶媒体をレンタル品として用いることで複製を制御しながら、レンタル会員が複製を望めば、著作権関連の金額を含めた複製料金を課金した上で、サーバから同コンテンツをダウンロードすることを許可し、複製とすることができる。したがって、著作権に配慮したレンタル方法を実現することができ、デジタル複製が当たり前となった現状に見合ったレンタルのシステム構築に貢献する。
【発明を実施するための最良の形態】
【００１１】
図１に、本発明のレンタル方法に係るシステムの概略構成を示す。全体的には、レンタルショップＲＳに設置の情報端末、ＣＤ１を挿入するドライブを備えたユーザ端末としてのパーソナルコンピュータ（ＰＣ）２、そしてＷｅｂサイトを設営したサーバ３がインターネットでつながった構成を有する。なお、ＰＣ２はユーザ所有のものに限らず、キオスク端末等、ユーザが使用可能な端末であれば良い。
【００１２】
レンタルショップＲＳでは、情報記憶媒体として本例ではＣＤ１を貸し出ししている。このＣＤ１は、音楽ＣＤで、所定のアーチストの音楽をコンテンツとして記憶していると共に、複製を制御するコピーコントロールデータを記憶している。そのコピーコントロールデータは、上述の特許文献１、特表２００３−５００７８９号公報、特表２００３−５２３５９５号公報のようなデータであり、ミニコンポやポータブルプレーヤーなどの再生機器では支障なく聞けるけれども、ＰＣに搭載されたＣＤドライブでデジタル複製を行おうとしてもできない仕組みになっている。したがって、ミニコンポ等を利用してＣＤ１からＭＤ（ミニディスク）へ、ＣＤ１からテープへ再生録音することは許されるけれども、ＰＣを利用したリッピングによる複製は許されていない。
【００１３】
このようなＣＤ１をレンタルショップＲＳから借りてきたレンタル会員は、ＰＣ２の媒体読取装置であるＣＤドライブにＣＤ１を挿入することで、該ＣＤ１に記憶されているコンテンツを再生するための再生手段としてＰＣ２を動作させることができる。このためＣＤ１は、図２に示すようにマルチセッション式とされ、内周側のオーディオセッション１ｏにコンテンツを記憶し、外周側のデータセッション１ｄに各種プログラムを記憶している。また、最内周のリードイン領域には、図示せぬＴＯＣ領域がディスク管理用に設けられている。
【００１４】
ＣＤ１がＰＣ２のＣＤドライブに挿入されると、自動再生機能が働き、ＰＣ２のＣＰＵによりデータセッション１ｄに記憶された再生プログラムが読み取られ、ＰＣ２が再生手段として動作する。再生手段として動作するＰＣ２は、その表示装置に、たとえば図２に示すようなユーザインタフェースＵＩを表示する。本例のユーザインタフェースＵＩにおいては、中央部分に音楽のカバーイメージＵＩ１（たとえばアーチストの画像）が表示され、そのカバーイメージＵＩ１中の左下隅に音楽のタイトルＵＩ２が表示されている。このタイトルＵＩ２にカーソルを合わせてクリックすると、該当する音楽が、オーディオセッション１ｏから読み出されて再生されるようになっている。
【００１５】
また、ユーザインタフェースＵＩの右上隅には、終了ボタンＵＩ３が表示されており、該終了ボタンＵＩ３にカーソルを合わせてクリックすると、再生手段の終了命令が入力されるようになっている。この再生手段の終了が命令された時にＰＣ２は、ＣＤ１のデータセッション１ｄに記憶されている排出プログラムに従って、再生手段の終了と共にＣＤドライブからＣＤ１を排出する。つまり、ＣＤ１は、ＣＤドライブに挿入されるとＰＣ２で自動的に再生手段が起動し、且つ再生手段の終了と共にＣＤドライブから排出されるようになっており、複製制御の一助とされている。
【００１６】
本例の場合、再生手段として動作しているＰＣ２が表示装置に画面表示しているユーザインタフェースＵＩには、ダウンロードのためのアクセスボタンＵＩ４が含まれている。このアクセスボタンＵＩ４は、インターネットを介してサーバ３にアクセスするための命令を入力するためのユーザインタフェースで、ＣＤ１のデータセッション１ｄに記憶された表示プログラムに従ってＰＣ２により表示される。
【００１７】
このアクセスボタンＵＩ４にカーソルを合わせてクリックするとアクセス命令が入力され、ＣＤ１のデータセッション１ｄに記憶されたＵＲＬを含むアクセスプログラムに従いＰＣ２がアクセス手段として動作し、インターネットにつながったサーバ３へアクセスする。アクセス手段として動作するＰＣ２ではブラウザが立上がり、サーバ３に開設されたＷｅｂサイトが表示される。
【００１８】
これによりＰＣ２の表示装置には、図３に示すサイト画面がブラウザ内に表示される。この画面において、ＣＤ１に該当する曲中のダウンロードを希望する曲名のチェック欄Ｂ１にカーソルを合わせてクリックすることでチェックを入れ、さらに会員番号入力欄Ｂ２にカーソルを合わせてキーボード等から会員番号を入力する。そして、ダウンロード開始ボタンＢ３にカーソルを合わせてクリックすると、ＰＣ２からサーバ３へ、自機を特定するデータと共に、ＣＤ１の識別データ（ＴＯＣにある）、会員番号のデータ、そしてダウンロードの指示が送信される。
【００１９】
これに応えてサーバ３は、会員番号がデータベースに登録してあるものであれば、ダウンロード希望のコンテンツをＰＣ２へダウンロードする。このダウンロードされるコンテンツは、デジタル著作権管理（ＤＲＭ）されている。すなわち、サーバ３にあるコンテンツは、ＤＲＭに対応したメディアプレーヤー（Windows Media Player（登録商標）、Sonic Stage（登録商標）等）のファイル方式で記憶されている。ダウンロードを受けるＰＣ２では、該当するメディアプレーヤーが起動し、ダウンロードしたコンテンツを再生することができる。ただし、ＤＲＭがかかっているので、当該メディアプレーヤーからＣＤ−Ｒ／ＲＷ等の情報記憶媒体へ書き込みを行うことはできないよう制御される。
【００２０】
一方、サーバ３には、ダウンロードしたコンテンツを、回数を限って、情報記憶媒体であるＣＤ−ＲにＰＣ２で書き込めるようにするプログラムのプラグインモジュールが用意されている。ＰＣ２がこのプラグインモジュールをダウンロードしてインストールすると、ＰＣ２で起動するメディアプレーヤーのプラグインとして実行可能となり、該メディアプレーヤーを利用して、たとえば１回だけコンテンツをＣＤ−Ｒに書き込むことが許可される。その概念図を図４に示してある。
【００２１】
サーバ３において、コンテンツは、圧縮・暗号化されてＤＲＭ処理され、さらに加えて、プラグイン用のエンコードを施して記憶されている。これをＰＣ２がダウンロードすることで、ＰＣ２のＨＤＤ等の記憶装置に記憶されるが、プラグイン用エンコードはメディアプレーヤーによる再生に影響するものではないので、ＤＲＭに対応したメディアプレーヤーによる再生（圧縮、伸長）は可能となる。ただし、ＤＲＭがかかっているので、ＣＤ−Ｒ／ＲＷ等の情報記憶媒体へ書き込むことは制御され、できなよいように管理されている。そこで、ＰＣ２で起動しているメディアプレーヤーにおいて、上記のプラグインを選択すると、プラグイン用のデコードが行われる結果、たとえば１回だけ書き込みすることが許可され、メディアプレーヤーを利用してＣＤ−Ｒ４へ書き込むことができるようになる。その書き込みの許可回数は、プラグイン用のエンコードに際して適宜設定可能である。
【００２２】
以上のようなＣＤ１をレンタルし、ＰＣ２のＣＤドライブへ挿入した後の流れを、図５及び図６のフローチャートに示している。
【００２３】
ＰＣ２のＣＤドライブにＣＤ１が挿入されると（Ｓ１）、自動的にＰＣ２で再生プログラムが起動し再生手段が開始され（Ｓ２）、ＰＣ２の表示装置に、図２のユーザインタフェースＵＩが画面表示される（Ｓ３）。そして、ユーザインタフェースＵＩ中にあるアクセスボタンＵＩ４を通してアクセス命令が入力されるかどうかが判断される（Ｓ４）。アクセスボタンＵＩ４のクリックがなく、アクセス命令が入力されないうちは、ＣＤ１に記憶されている音楽のタイトルＵＩ２のクリックがあるかどうか判断し（Ｓ５）、クリックがあれば該当する音楽を再生して（Ｓ６）、タイトルＵＩ２のクリックをさらに判断する。タイトルＵＩ２のクリックがなければ、終了ボタンＵＩ３のクリックを判断し（Ｓ７）、終了ボタンＵＩ３のクリック、つまり再生手段の終了命令が入力されないうちは、アクセスボタンＵＩ４のクリック判断（Ｓ４）へ戻る。終了ボタンＵＩ３のクリックがあると、ＣＤドライブからＣＤ１を排出し（Ｓ８）、再生手段を終了する。
【００２４】
ステップＳ４でアクセスボタンＵＩ４のクリックがあった場合は、インターネットを介してサーバ３へアクセスし、ＰＣ２は、ブラウザ中に図３のサイト画面を表示する（Ｓ９）。そして、ダウンロード開始ボタンＢ３のクリックがあると、チェック欄Ｂ１及び会員番号入力欄Ｂ２の入力データを含む上記のデータをサーバ３へ送信し、ダウンロードを要求する。サーバ３は、ＰＣ２からダウンロードの指示を受信すると、サーバ３の持つデータベースに会員番号が登録されているかどうか確認し、登録されている場合にのみ、該当するコンテンツをＰＣ２へダウンロードする（Ｓ１０）。
【００２５】
サーバ３は、このダウンロードにより、１回ダウンロードが行われたことを会員番号と対比させて所定のテーブルに記憶し、これらダウンロード回数及び会員番号のデータをレンタルショップＲＳの情報端末で閲覧できるようにする。ダウンロード回数は、ＰＣ２からダウンロードの指示がある都度にインクリメントされていく。記憶するダウンロード回数は、単純に回数だけでも良いが、ダウンロードのあった日付、時間、順次発行されるダウンロードナンバーを付加情報としてあっても良い。
【００２６】
ダウンロード指示に応じてサーバ３から該当コンテンツがダウンロードされるとＰＣ２では、ＤＲＭに対応したメディアプレーヤーが起動する（Ｓ１１）。このメディアプレーヤーにおいて、ダウンロードしたコンテンツのファイルをクリックすると、当該コンテンツが再生され、スピーカ等を通して聴くことができる。そして、ＰＣ２は、メディアプレーヤーにおいて書き込みが選択されるかどうかを判断している（Ｓ１２）。書き込みが選択されないうちは、終了ボタンのクリックを監視し（Ｓ１３）、終了でなければメディアプレーヤを継続し、終了ボタンがクリックされればメディアプレーヤーを終了する。
【００２７】
一方、書き込みが選択された場合は、ＰＣ２は、プラグインが選択されるかどうかを判断する（Ｓ１４）。プラグインが選択されない場合は、ＤＲＭによりＣＤ−Ｒ等への書き込みが一切禁止され、メディアプレーヤに戻る。プラグインが選択されれば、当該コンテンツのプラグイン用デコードを行って、現在までの書き込み回数を確認して書き込みの可否を判断し（Ｓ１５）、制限回数に達しておらず書き込み可であれば、プラグインを通してメディアプレーヤーにより、ＣＤ−Ｒ４へのコンテンツ書き込みを実行する（Ｓ１６）。そして、プラグイン用エンコード中の書き込み情報の回数を＋１インクリメントし（Ｓ１７）、メディアプレーヤーに戻る。書き込みが制限回数に達しており書き込み不可であれば、書き込みを禁止してメディアプレーヤーに戻る。
【００２８】
ＣＤ−Ｒ４に書き込む複製には上述のようなコピーコントロールデータを付加してあり、他の媒体への再複製が一切できないように制御される。
【００２９】
以上の処理フローにより、レンタル会員は、借りてきたＣＤ１に記憶されたコンテンツを、回数を限ってＣＤ−Ｒに複製することができる。その複製料金は、ＣＤ１をレンタルショップＲＳに返却しに行った時に徴収される。すなわち、サーバ３に記憶されている対比データに従い、レンタルショップＲＳの情報端末には、図７に示す決済画面が表示されるので、これに従って、ダウンロードした回数分の複製料金を返却時に徴収することができる。
【００３０】
図示の例の決済画面は、レンタル会員の会員番号と共に、ダウンロードの回数詳細として、サーバ３で付加したダウンロードナンバー及び日付が表示され、そしてさらに、レンタルショップＲＳで付加する支払い済みか否かのチェック欄が表示されたものである。このような決済画面は、サーバ３から送られてきたデータを情報端末で記憶して表示する方法でも良いし、情報端末のブラウザ機能によりサーバ３のデータを読み出して表示する方法でも良い。
【００３１】
以上、本発明の一実施形態を説明したが、上記の例に限られるものではない。たとえば、情報記憶媒体としてＣＤ及びＣＤ−Ｒ／ＲＷを例にしているが、ＤＶＤでも応用可能である。ＣＤドライブもＤＶＤドライブ等が応用可能であるし、ユーザ端末のＰＣも、ＤＶＤ／ＨＤＤレコーダー等の応用が可能である。
【図面の簡単な説明】
【００３２】
【図１】本発明を適用したレンタルシステムの概略図。
【図２】情報記憶媒体とこれによるユーザインタフェースの例を示した説明図。
【図３】サーバにアクセスした時にユーザ端末に表示される画面の例を示した説明図。
【図４】サーバからユーザ端末へダウンロードされるコンテンツの状態を説明した説明図。
【図５】情報記憶媒体に従うコンピュータの処理過程を例示したフローチャート。
【図６】ダウンロード後のコンテンツの書き込み処理を説明したフローチャート。
【図７】レンタルショップの情報端末に表示される決済画面の一例を示した説明図。
【符号の説明】
【００３３】
１  ＣＤ（情報記憶媒体）
２  ＰＣ（ユーザ端末）
３  サーバ
ＲＳ  レンタルショップ
【図１】
2007115160.tif 000003
【図２】
2007115160.tif 000004
【図３】
2007115160.tif 000005
【図４】
2007115160.tif 000006
【図５】
2007115160.tif 000007
【図６】
2007115160.tif 000008
【図７】
2007115160.tif 000009